(57)【要約】【課題】膨大な工数と費用をかけることなく、コンテンツに対する大衆の真の評価の情報収集を容易に行うことができるコンテンツ配信システムを提供すること。【解決手段】本発明のコンテンツ配信システムは、予め定めたコンテンツと、コンテンツを再生するスケジュールとをインターネット１を介して配信する管理サーバ１０と、配信されたスケジュールに基づいてコンテンツを再生し、コンテンツの再生映像の周辺の音声を収録しインターネットを介して管理サーバ１０に送信するプレーヤ２０とを備えた構成を有している。【選択図】      図１
2004265083.tif 000002
【特許請求の範囲】
【請求項１】
予め定めたコンテンツと、前記コンテンツを再生するスケジュールとをインターネットを介して配信する管理サーバと、配信された前記スケジュールに基づいて前記コンテンツを再生し、前記コンテンツの再生映像の周辺の音声を収録し前記インターネットを介して前記管理サーバに送信するプレーヤとを備えたことを特徴とするコンテンツ配信システム。
【請求項２】
前記管理サーバまたは前記プレーヤは、前記収録した音声から前記コンテンツに対する評価の言葉を文字列データに変換する文字列データ変換手段を備えたことを特徴とする請求項１に記載のコンテンツ配信システム。
【請求項３】
前記管理サーバは、前記文字列データを表示する文字列データ表示手段を備えたことを特徴とする請求項２に記載のコンテンツ配信システム。
【請求項４】
前記管理サーバは、前記文字列データより、前記コンテンツに対する表またはグラフの評価データを作成する評価データ作成手段を備えたことを特徴とする請求項１または請求項２に記載のコンテンツ配信システム。
【請求項５】
前記評価データ作成手段は、前記文字列データを時間帯別や、前記コンテンツに対する評価の言葉別に頻度分布の統計処理を行い、前記評価データを作成することを特徴とする請求項２に記載のコンテンツ配信システム。
【請求項６】
予め定めたコンテンツと、前記コンテンツを再生するスケジュールとをインターネットを介して配信する管理サーバと、配信された前記スケジュールに基づいて前記コンテンツを再生し、前記コンテンツの再生映像の周辺の映像を収録し前記インターネットを介して前記管理サーバに送信するプレーヤとを備えたことを特徴とするコンテンツ配信システム。
【請求項７】
前記管理サーバは、前記プレーヤより受信した前記コンテンツの再生映像の周辺の映像を表示する周辺映像表示手段を備えたことを特徴とする請求項６に記載のコンテンツ配信システム。
【請求項８】
前記管理サーバは、前記プレーヤより受信した前記コンテンツの再生映像の周辺の映像より前記コンテンツに対する表またはグラフの評価データを作成する評価データ作成手段を備えたことを特徴とする請求項６に記載のコンテンツ配信システム。
【請求項９】
前記評価データ作成手段は、前記コンテンツの再生映像の周辺の映像よりコンテンツを見ている大衆の性別や属性を判別して統計処理を行い、前記評価データを作成することを特徴とする請求項８に記載のコンテンツ配信システム。
【請求項１０】
予め定めたコンテンツと、前記コンテンツを再生するスケジュールとをインターネットを介して配信する管理サーバと、配信された前記スケジュールに基づいて前記コンテンツを再生し、前記コンテンツの再生映像の周辺の音声を収録するとともに、前記コンテンツの再生映像の周辺の映像を収録し、前記インターネットを介して前記管理サーバに送信するプレーヤとを備えたことを特徴とするコンテンツ配信システム。
【請求項１１】
前記管理サーバは、前記収録した音声から前記コンテンツに対する評価の言葉を文字列データに変換する文字列データ変換手段と、前記文字列データを表示する文字列データ表示手段と、前記コンテンツの再生映像の周辺の映像を表示する周辺映像表示手段とを備えたことを特徴とする請求項１０に記載のコンテンツ配信システム。
【請求項１２】
前記管理サーバは、前記文字列データより前記コンテンツに対する表またはグラフの評価データを作成する第１の評価データ作成手段と、前記コンテンツの再生映像の周辺の映像より前記コンテンツに対する表またはグラフの評価データを作成する第２の評価データ作成手段とを備えたことを特徴とする請求項１１に記載のコンテンツ配信システム。
【請求項１３】
前記第１の評価データ作成手段は、前記文字列データを時間帯別や、前記コンテンツに対する評価の言葉別に頻度分布の統計処理を行い、前記評価データを作成し、前記第２の評価データ作成手段は、前記コンテンツの再生映像の周辺の映像よりコンテンツを見ている大衆の性別や属性を判別して統計処理を行い、前記評価データを作成することを特徴とする請求項１２に記載のコンテンツ配信システム。
【発明の詳細な説明】
【０００１】
【発明の属する技術分野】
本発明は、インターネット技術を活用し、様々なコンテンツを配信し再生するシステムに関し、特に、再生したコンテンツの評価の情報収集を行うコンテンツ配信システムに関する。
【０００２】
【従来の技術】
従来のコンテンツ配信システムには、センター管理装置からインターネット技術を活用してコンテンツを配信し、そのコンテンツを建物の側面などに設けられた表示器や、電子掲示板に放映するものがあり、広告メディアとて利用されている（例えば、特許文献１参照）。
【０００３】
【特許文献１】
特開平１０−２４０２０５号公報
【０００４】
【発明が解しようとする課題】
広告メディアの最も重要な役割は、そのコンテンツを広く大衆に認識させることにあり、従来のコンテンツ配信システムは、コンテンツを配信し放映を行っているが、放映したコンテンツに対する大衆の認識度や反応を解析するには調査員などの膨大な工数をかけ、アンケート調査やインタビューなどを介して情報を収集するしかなく、膨大な工数と費用を必要としていた。
【０００５】
また、アンケート調査やインタビューなどでは意見を言う側の人間が構えてしまい、そのコンテンツやそのコンテンツがアピールする商品に対する“本音”の真の情報が聞き出せないという可能性もあった。
【０００６】
本発明は、このような従来の問題を解決するためになされたもので、膨大な工数と費用をかけることなく、コンテンツに対する大衆の真の評価の情報収集を容易に行うことができるコンテンツ配信システムを提供するものである。
【０００７】
【課題を解決するための手段】
本発明のコンテンツ配信システムは、予め定めたコンテンツと、前記コンテンツを再生するスケジュールとをインターネットを介して配信する管理サーバと、配信された前記スケジュールに基づいて前記コンテンツを再生し、前記コンテンツの再生映像の周辺の音声を収録し前記インターネットを介して前記管理サーバに送信するプレーヤとを備えた構成を有している。
【０００８】
この構成により、コンテンツの再生映像の周辺の音声からコンテンツに対する評価の情報を収集でき、膨大な工数と費用をかけることなく、コンテンツに対する大衆の真の評価の情報収集を容易に行うことができる。
【０００９】
また、前記管理サーバまたは前記プレーヤは、前記収録した音声から前記コンテンツに対する評価の言葉を文字列データに変換する文字列データ変換手段を備えた構成を有している。
【００１０】
この構成により、コンテンツの再生映像の周辺の音声からコンテンツに対する評価の情報をより的確なデータとして収集することができる。
【００１１】
また、前記管理サーバは、前記文字列データを表示する文字列データ表示手段を備えた構成を有している。
【００１２】
この構成により、コンテンツの再生映像の周辺の音声から収集したコンテンツに対する評価の情報を容易に把握して分析することができる。
【００１３】
また、前記管理サーバは、前記文字列データより、前記コンテンツに対する表またはグラフの評価データを作成する評価データ作成手段を備えた構成を有している。
【００１４】
この構成により、コンテンツの再生映像の周辺の音声から収集したコンテンツに対する評価の情報を容易に分析することができる。
【００１５】
また、前記評価データ作成手段は、前記文字列データを時間帯別や、前記コンテンツに対する評価の言葉別に頻度分布の統計処理を行い、前記評価データを作成する構成を有している。
【００１６】
この構成により、コンテンツの再生映像の周辺の音声から収集したコンテンツに対する評価の情報を的確容易に分析することができる。
【００１７】
また、予め定めたコンテンツと、前記コンテンツを再生するスケジュールとをインターネットを介して配信する管理サーバと、配信された前記スケジュールに基づいて前記コンテンツを再生し、前記コンテンツの再生映像の周辺の映像を収録し前記インターネットを介して前記管理サーバに送信するプレーヤとを備えた構成を有している。
【００１８】
この構成により、コンテンツの再生映像の周辺の映像からコンテンツに対する評価の情報を収集でき、膨大な工数と費用をかけることなく、コンテンツに対する大衆の真の評価の情報収集を容易に行うことができる。
【００１９】
また、前記管理サーバは、前記プレーヤより受信した前記コンテンツの再生映像の周辺の映像を表示する周辺映像表示手段を備えた構成を有している。
【００２０】
この構成により、コンテンツの再生映像の周辺の映像からコンテンツに対する評価の情報を容易に把握して分析することができる。
【００２１】
また、前記管理サーバは、前記プレーヤより受信した前記コンテンツの再生映像の周辺の映像より前記コンテンツに対する表またはグラフの評価データを作成する評価データ作成手段を備えた構成を有している。
【００２２】
この構成により、コンテンツの再生映像の周辺の映像からコンテンツに対する評価の情報を容易に分析することができる。
【００２３】
また、前記評価データ作成手段は、前記コンテンツの再生映像の周辺の映像よりコンテンツを見ている大衆の性別や属性を判別して統計処理を行い、前記評価データを作成する構成を有している。
【００２４】
この構成により、コンテンツの再生映像の周辺の映像からコンテンツに対する評価の情報を的確容易に分析することができる。
【００２５】
また、予め定めたコンテンツと、前記コンテンツを再生するスケジュールとをインターネットを介して配信する管理サーバと、配信された前記スケジュールに基づいて前記コンテンツを再生し、前記コンテンツの再生映像の周辺の音声を収録するとともに、前記コンテンツの再生映像の周辺の映像を収録し、前記インターネットを介して前記管理サーバに送信するプレーヤとを備えた構成を有している。
【００２６】
この構成により、コンテンツの再生映像の周辺の音声と映像からコンテンツに対する評価の情報を収集でき、膨大な工数と費用をかけることなく、コンテンツに対する大衆の真の評価の情報収集を容易に行うことができる。
【００２７】
また、前記管理サーバは、前記収録した音声から前記コンテンツに対する評価の言葉を文字列データに変換する文字列データ変換手段と、前記文字列データを表示する文字列データ表示手段と、前記コンテンツの再生映像の周辺の映像を表示する周辺映像表示手段とを備えた構成を有している。
【００２８】
この構成により、コンテンツの再生映像の周辺の音声と映像からコンテンツに対する評価の情報を容易に把握して分析することができる。
【００２９】
また、前記管理サーバは、前記文字列データより前記コンテンツに対する表またはグラフの評価データを作成する第１の評価データ作成手段と、前記コンテンツの再生映像の周辺の映像より前記コンテンツに対する表またはグラフの評価データを作成する第２の評価データ作成手段とを備えた構成を有している。
【００３０】
この構成により、コンテンツの再生映像の周辺の音声と映像からコンテンツに対する評価の情報を容易に分析することができる。
【００３１】
さらに、前記第１の評価データ作成手段は、前記文字列データを時間帯別や、前記コンテンツに対する評価の言葉別に頻度分布の統計処理を行い、前記評価データを作成し、前記第２の評価データ作成手段は、前記コンテンツの再生映像の周辺の映像よりコンテンツを見ている大衆の性別や属性を判別して統計処理を行い、前記評価データを作成する構成を有している。
【００３２】
この構成により、コンテンツの再生映像の周辺の音声と映像からコンテンツに対する評価の情報を的確容易に分析することができる。
【００３３】
【発明の実施の形態】
以下、本発明の実施の形態について、図面を用いて説明する。
【００３４】
図１は、本発明の第１の実施の形態のコンテンツ配信システムのブロック図を示す。
図１に示すように、本発明の第１の実施の形態のコンテンツ配信システムは、コンテンツとそのコンテンツを再生して放映するスケジュールとをインターネット１を介して配信し、配信したコンテンツの評価を表示する管理サーバ１０と、配信されたスケジュールに基づいてコンテンツを再生し、再生したコンテンツの映像の周辺の音声を収録しコンテンツの評価データとして管理サーバ１０に送信するプレーヤ２０とで構成されている。
管理サーバ１０は、放映するコンテンツが登録されるコンテンツ登録手段１１と、何時どのコンテンツを放映するかが決定されたとき、その決定された時と登録されたコンテンツにより放映するスケジュールを作成するスケジュール作成手段１２と、放映するスケジュールを登録するスケジュール登録手段１３と、インターネット１を介してプレーヤ２０にコンテンツおよびスケジュールのデータを配信するデータ配信手段１４と、プレーヤ２０により放映したコンテンツに対する評価の文字列データを受信する文字列データ受信手段１５と、受信した文字列データを格納する文字列データ格納手段１６と、文字列データを表示する文字列データ表示手段１７とで構成されている。
プレーヤ２０は、管理サーバ１０から配信されたコンテンツおよびスケジュールのデータを受信するデータ受信手段２１と、受信したデータを格納するデータ格納手段２２と、スケジュールに基づき、コンテンツの音声データを音声拡声手段２４ａで拡声し、コンテンツの映像データを映像表示手段２４ｂで再生するデータ再生手段２３と、コンテンツを再生して放映する映像表示手段２４ｂの周辺にいる大衆の音声を収録する周辺音声収録手段２５と、収録音声から評価の言葉を文字列データに変換する収録周辺音声変換手段２６と、インターネット１を介して管理サーバ１０に文字列データを送信する文字列データ送信手段２７とで構成されている。
【００３５】
次に、本発明の第１の実施の形態のコンテンツ配信システムの動作につき説明する。
まず、管理サーバ１０では、コンテンツ登録手段１１にＢＭＰやＪＰＥＧなどの静止画ファイルや、ＭＰＥＧなどの動画ファイルの様々なコンテンツが登録され、何時どのコンテンツを放映するかが決定されたとき、登録されたコンテンツと、コンテンツを放映する時とからスケジュール作成手段１２によりスケジュールが作成される。登録されたコンテンツと作成されたスケジュールとは関連づけられ、プレーヤ２０で再生可能な形態に加工されてスケジュール登録手段１３に登録され、登録されたコンテンツとスケジュールのデータはデータ配信手段１４によりインターネット１を介してプレーヤ２０に配信される。
次に、プレーヤ２０では、データ受信手段２１がインターネット１を介して管理サーバ１０から配信されたコンテンツとスケジュールのデータを受信し、受信したコンテンツとスケジュールのデータはハードディスクなどの記憶エリアのデータ格納手段２２に格納され、データ再生手段２３により、スケジュールに基づきコンテンツの音声データは音声拡声手段２４ａで拡声されるとともに、コンテンツの映像データは映像表示手段２４ｂで表示され放映される。
映像表示手段２４ｂの周辺にいる大衆の音声は周辺音声収録手段２５により収録され、収録周辺音声変換手段２６により、放映したコンテンツに対する評価の言葉が収録音声から抽出されて文字列データに変換され、文字列データは、文字列データ送信手段２７によりインターネット１を介して管理サーバ１０に送信される。
再び、管理サーバ１０では、文字列データ送信手段２７によってプレーヤ２０から送信された文字列データを文字列データ受信手段１５が受信し、受信した文字列データはハードディスクなどの文字列データ格納手段１６に格納される。格納された文字列データはモニタなどの文字列データ表示手段１７に表示される。
なお、本発明の第１の実施の形態のコンテンツ配信システムでは、収録音声から評価の言葉を文字列データに変換する収録周辺音声変換手段２６は、プレーヤ２０に設けることとしたが、管理サーバ１０に設けるようにすることもできる。
さらに、管理サーバ１０は、広告代理店などに設けコンテンツの評価の情報収集を行うことも、運営会社などに設け収集したコンテンツの評価の情報を広告代理店などに提供するようにすることもできる。
【００３６】
以上のように、本発明の第１の実施の形態のコンテンツ配信システムは、一方的にコンテンツを放映するだけでなく、そのコンテンツを見たことによる反応として発せられた例えばかっこいい、かっこわるい、かわいい、かわいくない、行ってみたい、ダサいなどの評価の言葉を収集でき、この言葉を解析することにより、広告内容の見直しや次期商品の企画への反映などを迅速に行うことができる。
【００３７】
図２は、本発明の第２の実施の形態のコンテンツ配信システムのブロック図を示す。
図２に示すように、本発明の第２の実施の形態のコンテンツ配信システムは、コンテンツとそのコンテンツを再生して放映するスケジュールとをインターネット２を介して配信し、配信したコンテンツの評価データを作成する管理サーバ３０と、配信されたスケジュールに基づいてコンテンツを再生し、再生したコンテンツの映像の周辺の音声を収録しコンテンツの評価データとして管理サーバ３０に送信するプレーヤ４０とで構成されている。
管理サーバ３０は、放映するコンテンツが登録されるコンテンツ登録手段３１と、何時どのコンテンツを放映するかが決定されたとき、その決定された時と登録されたコンテンツにより放映するスケジュールを作成するスケジュール作成手段３２と、放映するスケジュールを登録するスケジュール登録手段３３と、インターネット２を介してプレーヤ４０にコンテンツおよびスケジュールのデータを配信するデータ配信手段３４と、プレーヤ４０により放映したコンテンツに対する評価の文字列データを受信する文字列データ受信手段３５と、受信した文字列データを格納する文字列データ格納手段３６と、文字列データ格納手段３６に格納された文字列データより表またはグラフの評価データを作成する評価データ作成手段３７とで構成されている。
プレーヤ４０は、管理サーバ３０から配信されたコンテンツおよびスケジュールのデータを受信するデータ受信手段４１と、受信したデータを格納するデータ格納手段４２と、スケジュールに基づき、コンテンツの音声データを音声拡声手段４４ａで拡声し、コンテンツの映像データを映像表示手段４４ｂで表示するデータ再生手段４３と、コンテンツを再生して放映する映像表示手段４４ｂの周辺にいる大衆の音声を収録する周辺音声収録手段４５と、収録音声から評価の言葉を文字列データに変換する収録周辺音声変換手段４６と、インターネット２を介して管理サーバ３０に文字列データを送信する文字列データ送信手段４７とで構成されている。
【００３８】
次に、本発明の第２の実施の形態のコンテンツ配信システムの動作につき説明する。
まず、管理サーバ３０では、コンテンツ登録手段３１にＢＭＰやＪＰＥＧなどの静止画ファイルや、ＭＰＥＧなどの動画ファイルの様々なコンテンツが登録され、何時どのコンテンツを放映するかが決定されたとき、登録されたコンテンツと、コンテンツを放映する時とからスケジュール作成手段３２によりスケジュールが作成される。登録されたコンテンツと作成されたスケジュールとは関連づけられ、プレーヤ４０で再生可能な形態に加工されてスケジュール登録手段３３に登録され、登録されたコンテンツとスケジュールのデータはデータ配信手段３４によりインターネット２を介してプレーヤ４０に配信される。
次に、プレーヤ４０では、データ受信手段４１がインターネット２を介して管理サーバ３０から配信されたコンテンツとスケジュールのデータを受信し、受信したコンテンツとスケジュールのデータはハードディスクなどの記憶エリアのデータ格納手段４２に格納され、データ再生手段４３により、スケジュールに基づきコンテンツの音声データは音声拡声手段４４ａで拡声されるとともに、コンテンツの映像データは映像表示手段４４ｂで表示され放映される。
映像表示手段４４ｂの周辺にいる大衆の音声は周辺音声収録手段４５により収録され、収録周辺音声変換手段４６により、放映したコンテンツに対する評価の言葉が収録音声から抽出されて文字列データに変換され、文字列データは文字列データ送信手段４７によりインターネット２を介して管理サーバ３０に送信される。
再び、管理サーバ３０では、文字列データ送信手段４７によってプレーヤ４０から送信された文字列データを文字列データ受信手段３５が受信し、受信した文字列データはハードディスクなどの文字列データ格納手段３６に格納される。評価データ作成手段３７により、文字列データを時間帯別や、コンテンツに対する評価の言葉別に頻度分布などの統計処理が行われ、表またはグラフの評価データが作成される。
なお、本発明の第２の実施の形態のコンテンツ配信システムでは、収録音声から評価の言葉を文字列データに変換する収録周辺音声変換手段４６は、プレーヤ４０に設けることとしたが、管理サーバ３０に設けるようにすることもできる。
さらに、管理サーバ３０は、広告代理店などに設けコンテンツの評価の情報収集を行うことも、運営会社などに設け収集したコンテンツの評価の情報を広告代理店などに提供するようにすることもできる。
【００３９】
以上のように、本発明の第２の実施の形態のコンテンツ配信システムは、一方的にコンテンツを放映するだけでなく、放映されたコンテンツの映像を見たことによる反応として発せられた例えばかっこいい、かっこわるい、かわいい、かわいくない、行ってみたい、ダサいなどの評価の言葉を収集して評価データを作成でき、この評価データにより、広告内容の見直しや次期商品の企画への反映などを迅速に行うことができる。
【００４０】
図３は、本発明の第３の実施の形態のコンテンツ配信システムのブロック図を示す。
図３に示すように、本発明の第３の実施の形態のコンテンツ配信システムは、コンテンツとそのコンテンツを再生して放映するスケジュールとをインターネット３を介して配信し、配信したコンテンツの評価を表示する管理サーバ５０と、配信されたスケジュールに基づいてコンテンツを再生し、再生したコンテンツの映像の周辺の映像を収録しコンテンツの評価データとして管理サーバ５０に送信するプレーヤ６０とで構成されている。
管理サーバ５０は、放映するコンテンツが登録されるコンテンツ登録手段５１と、何時どのコンテンツを放映するかが決定されたとき、その決定された時と登録されたコンテンツにより放映するスケジュールを作成するスケジュール作成手段５２と、放映するスケジュールを登録するスケジュール登録手段５３と、インターネット３を介してプレーヤ６０にコンテンツおよびスケジュールのデータを配信するデータ配信手段５４と、プレーヤ６０により放映したコンテンツの映像の周辺にいる大衆の映像のデータを受信する周辺映像データ受信手段５５と、受信した周辺映像データを格納する周辺映像データ格納手段５６と、周辺映像データを表示する周辺映像表示手段５７とで構成されている。
プレーヤ６０は、管理サーバ５０から配信されたコンテンツおよびスケジュールのデータを受信するデータ受信手段６１と、受信したデータを格納するデータ格納手段６２と、スケジュールに基づき、コンテンツの音声データを音声拡声手段６４ａで拡声し、コンテンツの映像データを映像表示手段６４ｂで再生するデータ再生手段６３と、コンテンツを再生して放映する映像表示手段６４ｂの周辺にいる大衆の映像を収録する周辺映像収録手段６８と、収録した周辺映像データを送信する周辺映像データ送信手段６９とで構成されている。
【００４１】
次に、本発明の第３の実施の形態のコンテンツ配信システムの動作につき説明する。
まず、管理サーバ５０では、コンテンツ登録手段５１にＢＭＰやＪＰＥＧなどの静止画ファイルや、ＭＰＥＧなどの動画ファイルの様々なコンテンツが登録され、何時どのコンテンツを放映するかが決定されたとき、登録されたコンテンツと、コンテンツを放映する時とからスケジュール作成手段５２によりスケジュールが作成される。登録されたコンテンツと作成されたスケジュールとは関連づけられ、プレーヤ６０で再生可能な形態に加工されてスケジュール登録手段５３に登録され、登録されたコンテンツとスケジュールのデータはデータ配信手段５４によりインターネット３を介してプレーヤ６０に配信される。
次に、プレーヤ６０では、データ受信手段６１がインターネット３を介して管理サーバ５０から配信されたコンテンツとスケジュールのデータを受信し、受信したコンテンツとスケジュールのデータはハードディスクなどの記憶エリアのデータ格納手段６２に格納され、データ再生手段６３により、スケジュールに基づきコンテンツの音声データは音声拡声手段６４ａで拡声されるとともに、コンテンツの映像データは映像表示手段６４ｂで表示され放映される。
映像表示手段６４ｂの周辺にいる大衆の映像は、放映したコンテンツに対する評価の映像として周辺映像収録手段６８により収録され、収録された周辺映像データは周辺映像データ送信手段６９によりインターネット３を介して管理サーバ５０に送信される。
再び、管理サーバ５０では、周辺映像データ送信手段６９によってプレーヤ６０から送信された周辺映像データを周辺映像データ受信手段５５が受信し、受信した周辺映像データはハードディスクなどの周辺映像データ格納手段５６に格納される。格納された周辺映像データはモニタなどの周辺映像表示手段５７に表示される。
なお、本発明の第３の実施の形態のコンテンツ配信システムでは、管理サーバ５０は、広告代理店などに設けコンテンツの評価の情報収集を行うことも、運営会社などに設け収集したコンテンツの評価の情報を広告代理店などに提供するようにすることもできる。
【００４２】
以上のように、本発明の第３の実施の形態のコンテンツ配信システムは、一方的にコンテンツを放映するだけでなく、映像表示手段６４ｂの周辺にいる大衆の映像を放映したコンテンツに対する評価の映像として収集でき、この映像を解析することにより、広告内容の見直しや次期商品の企画への反映などを迅速に行うことができる。
【００４３】
図４は、本発明の第４の実施の形態のコンテンツ配信システムのブロック図を示す。
図４に示すように、本発明の第４の実施の形態のコンテンツ配信システムは、コンテンツとそのコンテンツを再生して放映するスケジュールとをインターネット４を介して配信し、配信したコンテンツの評価データを作成する管理サーバ７０と、配信されたスケジュールに基づいてコンテンツを再生し、再生したコンテンツの映像の周辺の映像を収録しコンテンツの評価データとして管理サーバ７０に送信するプレーヤ８０とで構成されている。
管理サーバ７０は、放映するコンテンツが登録されるコンテンツ登録手段７１と、何時どのコンテンツを放映するかが決定されたとき、その決定された時と登録されたコンテンツにより放映するスケジュールを作成するスケジュール作成手段７２と、放映するスケジュールを登録するスケジュール登録手段７３と、インターネット４を介してプレーヤ８０にコンテンツおよびスケジュールのデータを配信するデータ配信手段７４と、プレーヤ８０により放映したコンテンツの映像の周辺にいる大衆の映像のデータを受信する周辺映像データ受信手段７５と、受信した周辺映像データを格納する周辺映像データ格納手段７６と、周辺映像データ格納手段７６に格納した周辺映像データにより表またはグラフの評価データを作成する評価データ作成手段７７とで構成されている。
プレーヤ８０は、管理サーバ７０から配信されたコンテンツおよびスケジュールのデータを受信するデータ受信手段８１と、受信したデータを格納するデータ格納手段８２と、スケジュールに基づき、コンテンツの音声データを音声拡声手段８４ａで拡声し、コンテンツの映像データを映像表示手段８４ｂで再生するデータ再生手段８３と、コンテンツを再生して放映する映像表示手段８４ｂの周辺にいる大衆の映像を収録する周辺映像収録手段８８と、収録した周辺映像データを送信する周辺映像データ送信手段８９とで構成されている。
【００４４】
次に、本発明の第３の実施の形態のコンテンツ配信システムの動作につき説明する。
まず、管理サーバ７０では、コンテンツ登録手段７１にＢＭＰやＪＰＥＧなどの静止画ファイルや、ＭＰＥＧなどの動画ファイルの様々なコンテンツが登録され、何時どのコンテンツを放映するかが決定されたとき、登録されたコンテンツと、コンテンツを放映する時とからスケジュール作成手段７２によりスケジュールが作成される。登録されたコンテンツと作成されたスケジュールとは関連づけられ、プレーヤ８０で再生可能な形態に加工されてスケジュール登録手段７３に登録され、登録されたコンテンツとスケジュールのデータはデータ配信手段７４によりインターネット４を介してプレーヤ８０に配信される。
次に、プレーヤ８０では、データ受信手段８１がインターネット４を介して管理サーバ７０から配信されたコンテンツとスケジュールのデータを受信し、受信したコンテンツとスケジュールのデータはハードディスクなどの記憶エリアのデータ格納手段８２に格納され、データ再生手段８３により、スケジュールに基づきコンテンツの音声データは音声拡声手段８４ａで拡声されるとともに、コンテンツの映像データは映像表示手段８４ｂで表示され放映される。
映像表示手段８４ｂの周辺にいる大衆の映像は、放映したコンテンツに対する評価の映像として周辺映像収録手段８８により収録され、収録された周辺映像データは周辺映像データ送信手段８９によりインターネット４を介して管理サーバ７０に送信される。
再び、管理サーバ７０では、周辺映像データ送信手段８９によってプレーヤ８０から送信された周辺映像データを周辺映像データ受信手段７５が受信し、受信した周辺映像データはハードディスクなどの周辺映像データ格納手段７６に格納される。評価データ作成手段７７は、周辺映像データ格納手段７６に格納された周辺映像データを信号処理し、放映された映像に注目している大衆の性別や、女子高生、ＯＬ、サラリーマンなどの大衆の属性を判別してデータ化し頻度分布などの統計処理を行い、表またはグラフの評価データを作成する。
なお、本発明の第４の実施の形態のコンテンツ配信システムでは、管理サーバ７０は、広告代理店などに設けコンテンツの評価の情報収集を行うことも、運営会社などに設け収集したコンテンツの評価の情報を広告代理店などに提供するようにすることもできる。
【００４５】
以上のように、本発明の第４の実施の形態のコンテンツ配信システムは、一方的にコンテンツを放映するだけでなく、映像表示手段８４ｂの周辺で放映したコンテンツを注目している大衆の性別や属性を分類した評価データを作成でき、この評価データにより、広告内容の見直しや次期商品の企画への反映などを迅速に行うことができる。
【００４６】
図５は、本発明の第５の実施の形態のコンテンツ配信システムのブロック図を示す。
図５に示すように、本発明の第５の実施の形態のコンテンツ配信システムは、コンテンツとそのコンテンツを再生して放映するスケジュールとをインターネット５を介して配信し、配信したコンテンツの評価を表示する管理サーバ９０と、配信されたスケジュールに基づいてコンテンツを再生し、再生したコンテンツの映像の周辺の音声と映像を収録しコンテンツの評価データとして管理サーバ９０に送信するプレーヤ１００とで構成されている。
管理サーバ９０は、放映するコンテンツが登録されるコンテンツ登録手段９１と、何時どのコンテンツを放映するかが決定されたとき、その決定された時と登録されたコンテンツにより放映するスケジュールを作成するスケジュール作成手段９２と、放映するスケジュールを登録するスケジュール登録手段９３と、インターネット５を介してプレーヤ１００にコンテンツおよびスケジュールのデータを配信するデータ配信手段９４と、プレーヤ１００により放映したコンテンツに対する評価の文字列データを受信する文字列データ受信手段９５と、受信した文字列データを格納する文字列データ格納手段９６と、文字列データを表示する文字列データ表示手段９７ａと、プレーヤ１００により放映したコンテンツの映像の周辺にいる大衆の映像のデータを受信する周辺映像データ受信手段９８と、受信した周辺映像データを格納する周辺映像データ格納手段９９と、周辺映像データを表示する周辺映像表示手段９７ｂとで構成されている。
プレーヤ１００は、管理サーバ９０から配信されたコンテンツおよびスケジュールのデータを受信するデータ受信手段１０１と、受信したデータを格納するデータ格納手段１０２と、スケジュールに基づき、コンテンツの音声データを音声拡声手段１０４ａで拡声し、コンテンツの映像データを映像表示手段１０４ｂで再生するデータ再生手段１０３と、コンテンツを再生して放映する表示手段１０４ｂの周辺にいる大衆の音声を収録する周辺音声収録手段１０５と、収録音声から評価の言葉を文字列データに変換する収録周辺音声変換手段１０６と、インターネット５を介して管理サーバ９０に文字列データを送信する文字列データ送信手段１０７と、コンテンツが再生され放映される映像表示手段１０４ｂの周辺にいる大衆の映像を収録する周辺映像収録手段１０８と、収録した周辺映像データを送信する周辺映像データ送信手段１０９とで構成されている。
【００４７】
次に、本発明の第５の実施の形態のコンテンツ配信システムの動作につき説明する。
まず、管理サーバ９０では、コンテンツ登録手段９１にＢＭＰやＪＰＥＧなどの静止画ファイルや、ＭＰＥＧなどの動画ファイルの様々なコンテンツが登録され、何時どのコンテンツを放映するかが決定されたとき、登録されたコンテンツと、コンテンツを放映する時とからスケジュール作成手段９２によりスケジュールが作成される。登録されたコンテンツと作成されたスケジュールとは関連づけられ、プレーヤ１００で再生可能な形態に加工されてスケジュール登録手段９３に登録され、登録されたコンテンツとスケジュールのデータはデータ配信手段９４によりインターネット５を介してプレーヤ１００に配信される。
次に、プレーヤ１００では、データ受信手段１０１がインターネット５を介して管理サーバ９０から配信されたコンテンツとスケジュールのデータを受信し、受信したコンテンツとスケジュールのデータはハードディスクなどの記憶エリアのデータ格納手段１０２に格納され、データ再生手段１０３により、スケジュールに基づきコンテンツの音声データは音声拡声手段１０４ａで拡声されるとともに、コンテンツの映像データは映像表示手段１０４ｂで表示され放映される。
映像表示手段１０４ｂの周辺にいる大衆の音声は周辺音声収録手段１０５により収録され、収録周辺音声変換手段１０６により、放映したコンテンツに対する評価の言葉が収録音声から抽出されて文字列データに変換され、文字列データは、文字列データ送信手段１０７によりインターネット５を介して管理サーバ９０に送信される。
また、映像表示手段１０４ｂの周辺にいる大衆の映像は、放映したコンテンツに対する評価の映像として周辺映像収録手段１０８により収録され、収録された周辺映像データは周辺映像データ送信手段１０９によりインターネット５を介して管理サーバ９０に送信される。
再び、管理サーバ９０では、文字列データ送信手段１０７によってプレーヤ１００から送信された文字列データを文字列データ受信手段９５が受信し、受信した文字列データはハードディスクなどの文字列データ格納手段９６に格納される。格納された文字列データはモニタなどの文字列データ表示手段９７ａに表示される。
また、管理サーバ９０では、周辺映像データ送信手段１０９によってプレーヤ１００から送信された周辺映像データを周辺映像データ受信手段９８が受信し、受信した周辺映像データはハードディスクなどの周辺映像データ格納手段９９に格納される。格納された周辺映像データはモニタなどの周辺映像表示手段９７ｂに表示される。
なお、本発明の第５の実施の形態のコンテンツ配信システムでは、収録音声から評価の言葉を文字列データに変換する収録周辺音声変換手段１０６は、プレーヤ１００に設けることとしたが、管理サーバ９０に設けるようにすることもできる。
さらに、管理サーバ９０は、広告代理店などに設けコンテンツの評価の情報収集を行うことも、運営会社などに設け収集したコンテンツの評価の情報を広告代理店などに提供するようにすることもできる。
【００４８】
以上のように、本発明の第５の実施の形態のコンテンツ配信システムは、一方的にコンテンツを放映するだけでなく、放映されたコンテンツの映像を見たことによる反応として発せられた例えばかっこいい、かっこわるい、かわいい、かわいくない、行ってみたい、ダサいなどの評価の言葉を収集できるとともに、放映したコンテンツに対する評価の映像を収集でき、評価の言葉と映像を解析することにより、広告内容の見直しや次期商品の企画への反映などを迅速に行うことができる。
【００４９】
図６は、本発明の第６の実施の形態のコンテンツ配信システムのブロック図を示す。
図６に示すように、本発明の第６の実施の形態のコンテンツ配信システムは、コンテンツとそのコンテンツを再生して放映するスケジュールとをインターネット６を介して配信し、配信したコンテンツの評価を表示する管理サーバ１１０と、配信されたスケジュールに基づいてコンテンツを再生し、再生したコンテンツの映像の周辺の音声と映像を収録しコンテンツの評価データとして管理サーバ１１０に送信するプレーヤ１２０とで構成されている。
管理サーバ１１０は、放映するコンテンツが登録されるコンテンツ登録手段１１１と、何時どのコンテンツを放映するかが決定されたとき、その決定された時と登録されたコンテンツにより放映するスケジュールを作成するスケジュール作成手段１１２と、放映するスケジュールを登録するスケジュール登録手段１１３と、インターネット６を介してプレーヤ１２０にコンテンツおよびスケジュールのデータを配信するデータ配信手段１１４と、プレーヤ１２０により放映したコンテンツに対する評価の文字列データを受信する文字列データ受信手段１１５と、受信した文字列データを格納する文字列データ格納手段１１６と、文字列データ格納手段１１６に格納された文字列データより表またはグラフの評価データを作成する評価データ作成手段１１７ａと、プレーヤ１２０により放映したコンテンツの映像の周辺にいる大衆の映像のデータを受信する周辺映像データ受信手段１１８と、受信した周辺映像データを格納する周辺映像データ格納手段１１９と、周辺映像データ格納手段１１９に格納された周辺映像データより表またはグラフの評価データを作成する評価データ作成手段１１７ｂとで構成されている。
プレーヤ１２０は、管理サーバ１１０から配信されたコンテンツおよびスケジュールのデータを受信するデータ受信手段１２１と、受信したデータを格納するデータ格納手段１２２と、スケジュールに基づき、コンテンツの音声データを音声拡声手段１２４ａで拡声し、コンテンツの映像データを映像表示手段１２４ｂで再生するデータ再生手段１２３と、コンテンツを再生して放映する映像表示手段１２４ｂの周辺にいる大衆の音声を収録する周辺音声収録手段１２５と、収録音声から評価の言葉を文字列データに変換する収録周辺音声変換手段１２６と、インターネット６を介して管理サーバ１１０に文字列データを送信する文字列データ送信手段１２７と、コンテンツが再生され放映される映像表示手段１２４ｂの周辺にいる大衆の映像を収録する周辺映像収録手段１２８と、収録した周辺映像データを送信する周辺映像データ送信手段１２９とで構成されている。
【００５０】
次に、本発明の第６の実施の形態のコンテンツ配信システムの動作につき説明する。
まず、管理サーバ１１０では、コンテンツ登録手段１１１にＢＭＰやＪＰＥＧなどの静止画ファイルや、ＭＰＥＧなどの動画ファイルの様々なコンテンツが登録され、何時どのコンテンツを放映するかが決定されたとき、登録されたコンテンツと、コンテンツを放映する時とからスケジュール作成手段１１２によりスケジュールが作成される。登録されたコンテンツと作成されたスケジュールとは関連づけられ、プレーヤ１２０で再生可能な形態に加工されてスケジュール登録手段１１３に登録され、登録されたコンテンツとスケジュールのデータはデータ配信手段１１４によりインターネット６を介してプレーヤ１２０に配信される。
次に、プレーヤ１２０では、データ受信手段１２１がインターネット６を介して管理サーバ１１０から配信されたコンテンツとスケジュールのデータを受信し、受信したコンテンツとスケジュールのデータはハードディスクなどの記憶エリアのデータ格納手段１２２に格納され、データ再生手段１２３により、スケジュールに基づきコンテンツの音声データは音声拡声手段１２４ａで拡声されるとともに、コンテンツの映像データは映像表示手段１２４ｂで表示され放映される。
映像表示手段１２４ｂの周辺にいる大衆の音声は周辺音声収録手段１２５により収録され、収録周辺音声変換手段１２６により、放映したコンテンツに対する評価の言葉が収録音声から抽出されて文字列データに変換され、文字列データは、文字列データ送信手段１２７によりインターネット６を介して管理サーバ１１０に送信される。
また、映像表示手段１２４ｂの周辺にいる大衆の映像は、放映したコンテンツに対する評価の映像として周辺映像収録手段１２８により収録され、収録された周辺映像データは周辺映像データ送信手段１２９によりインターネット６を介して管理サーバ１１０に送信される。
再び、管理サーバ１１０では、文字列データ送信手段１２７によってプレーヤ１２０から送信された文字列データを文字列データ受信手段１１５が受信し、受信した文字列データはハードディスクなどの文字列データ格納手段１１６に格納される。評価データ作成手段１１７ａにより、文字列データを時間帯別や、コンテンツに対する評価の言葉別に頻度分布などの統計処理が行われ、表またはグラフの評価データが作成される。
また、管理サーバ１１０では、周辺映像データ送信手段１２９によってプレーヤ１２０から送信された周辺映像データを周辺映像データ受信手段１１８が受信し、受信した周辺映像データはハードディスクなどの周辺映像データ格納手段１１９に格納される。評価データ作成手段１１７ｂは、周辺映像データ格納手段１１９に格納された周辺映像データを信号処理し、放映された映像に注目している大衆の性別や、女子高生、ＯＬ、サラリーマンなどの大衆の属性を判別してデータ化し頻度分布などの統計処理を行い、表またはグラフの評価データを作成する。
なお、本発明の第６の実施の形態のコンテンツ配信システムでは、収録音声から評価の言葉を文字列データに変換する収録周辺音声変換手段１２６は、プレーヤ１２０に設けることとしたが、管理サーバ１１０に設けるようにすることもできる。
さらに、管理サーバ１１０は、広告代理店などに設けコンテンツの評価の情報収集を行うことも、運営会社などに設け収集したコンテンツの評価の情報を広告代理店などに提供するようにすることもできる。
【００５１】
以上のように、本発明の第６の実施の形態のコンテンツ配信システムは、一方的にコンテンツを放映するだけでなく、放映されたコンテンツの映像を見たことによる反応として発せられた例えばかっこいい、かっこわるい、かわいい、かわいくない、行ってみたい、ダサいなどの評価の言葉を収集して評価データを作成でき、さらに、映像表示手段１２４ｂの周辺で放映したコンテンツを注目している大衆の性別や属性を分類した評価データを作成でき、この評価データにより、広告内容の見直しや次期商品の企画への反映などを迅速に行うことができる。
【００５２】
【発明の効果】
以上のように、本発明によれば、コンテンツの再生映像の周辺の音声からコンテンツに対する評価の情報を収集でき、膨大な工数と費用をかけることなく、コンテンツに対する大衆の真の評価の情報収集を容易に行うことができる。
【図面の簡単な説明】
【図１】本発明の第１の実施の形態のコンテンツ配信システムのブロック図
【図２】本発明の第２の実施の形態のコンテンツ配信システムのブロック図
【図３】本発明の第３の実施の形態のコンテンツ配信システムのブロック図
【図４】本発明の第４の実施の形態のコンテンツ配信システムのブロック図
【図５】本発明の第５の実施の形態のコンテンツ配信システムのブロック図
【図６】本発明の第６の実施の形態のコンテンツ配信システムのブロック図
【符号の説明】
１、２，３、４、５、６  インターネット
１０、３０、５０、７０、９０、１１０  管理サーバ
１１、３１、５１、７１、９１、１１１  コンテンツ登録手段
１２、３２、５２、７２、９２、１１２  スケジュール作成手段
１３、３３、５３、７３、９３、１１３  スケジュール登録手段
１４、３４、５４、７４、９４、１１４  データ配信手段
１５、３５、９５、１１５  文字列データ受信手段
１６、３６  、９６、１１６  文字列データ格納手段
１７  ９７ａ  文字列データ表示手段
２０、４０、６０、８０、１００、１２０  プレーヤ
２１、４１、６１、８１、１０１、１２１  データ受信手段
２２、４２、６２、８２、１０２、１２２  データ格納手段
２３、４３、６３、８３、１０３、１２３  データ再生手段
２４ａ、４４ａ、６４ａ  ８４ａ、１０４ａ、１２４ａ  音声拡声手段
２４ｂ、４４ｂ、６４ｂ、８４ｂ、１０４ｂ、１２４ｂ  映像表示手段
２５、４５、１０５、１２５  周辺音声収録手段
２６、４６、１０６、１２６  収録周辺音声変換手段
２７、４７、１０７、１２７  文字列データ送信手段
３７、７７、１１７ａ、１１７ｂ  評価データ作成手段
５５、７５、９８、１１８  周辺映像データ受信手段
５６、７６、９９、１１９  周辺映像データ格納手段
５７、９７ｂ  周辺映像表示手段
６８、８８、１０８，１２８  周辺映像収録手段
６９、８９、１０９、１２９  周辺映像データ送信手段
【図１】
2004265083.tif 000003
【図２】
2004265083.tif 000004
【図３】
2004265083.tif 000005
【図４】
2004265083.tif 000006
【図５】
2004265083.tif 000007
【図６】
2004265083.tif 000008